(57)【特許請求の範囲】
【請求項１】
衣服用ハンガーの肩掛部の上方を通り、衣服用ハンガーの水平となった横桟部分へ上向き円筒状に取り付けられる衣服掛けハンガー用肩しわ防止具であって、衣服用ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体をハンガーの横桟部を挟み込んで係止する係止部とを一体的に備えた衣服ハンガー肩しわ防止具であって、衣服ハンガー肩しわ防止具に一体的に備えられ前記保形体をハンガーの横桟部を挟み込んで係止する前記係止部は、平行に形成された２本の切り込み溝と前記２本の切り込み溝に挿入される挿入部とにより構成されており、前記２本の切り込み溝により囲まれた保持部をハンガーの横桟部に当接させて前記保形体をハンガーの横桟部に沿って移動自在に係止したことを特徴とする衣服掛けハンガー用肩しわ防止具。
【請求項２】
衣服掛けハンガー用肩しわ防止具は、パンチカーペットやスポンジ状のウレタンフォームからなり、衣服の滑り防止機能を有する素材とし、ハンガー幅の半分よりも狭く形成されている請求項１に記載の衣服掛けハンガー用肩しわ防止具。
【請求項３】
保型体は、頂点部から両側に下り傾斜する第１の下り傾斜部が形成され、第１の下り傾斜部の両端から保形体の内側方向に下り傾斜する第２の傾斜部が形成され、第２の下り傾斜部の両端から頂点部方向に上り傾斜する第３の傾斜部とで略５角形状に形成されている請求項１又は請求項２のいずれか一方に記載の衣服掛けハンガー用肩しわ防止具。
【請求項４】
請求項１乃至３の何れかに記載の衣服掛けハンガー用肩しわ防止具を備えたことを特徴とするハンガー。
【発明の詳細な説明】
【技術分野】
【０００１】
本発明は、衣服収納時や洗濯物を干す時に使用するハンガーへ取り付けて、肩しわ防止・落下防止・乾燥時間向上・女性下着へのプライバシー保護などを図ることができる衣服掛けハンガー用肩しわ防止具に関するものである。
【背景技術】
【０００２】
周知の通り、一般的なハンガーでは金物やプラスチック製の細い物が主体であり、衣服によっては肩の縫い目がハンガーに合わないことがある。  特に洗濯後の水分を含んだ際、細いハンガーは圧力が集中し、乾燥時に衣服の肩部にしわを発生させるという問題点があった。
【０００３】
金物・プラスチック・木製ハンガーなどでは滑り易く、衣服が脱落することもある。  男性と女性では肩幅が違う為、可動式ハンガーもあるが、無段階に調節出来るものは構造が複雑になり易い。
【０００４】
また、女性の場合は下着が人目にさらされると盗難されるリスクがあり、出来る限りプライバシーに配慮し、安全に取り扱える様にする必要がある。
【０００５】
また、上記問題点を解消するために発明された特許文献１に示すものは、衣服の肩部と対応する位置にパッドを取り付けたものであり、乾燥時に衣服の肩部にしわが発生するのを防止できるが、乾燥時間向上・女性下着へのプライバシー保護に関しては考慮されておらず、乾燥時間がかかるとともに、女性下着を外干しする場合は物干しハンガーの周囲にタオルなどで目隠しをした内側にて乾燥させて人目を避け、盗難などのリスクから軽減する必要があった。また、部屋干しをすると紫外線などでの殺菌作用不足で不快な匂いを衣服に発生させるという問題点があった。
【０００６】
また、上記問題点を解消するために発明された特許文献２に示すものは、ハンガーの横桟部に衣服を押し広げる押し広げ手段を回動自在に設け、ハンガーに掛けた衣服間に風が通るようにして乾燥時間向上を図ったものであり、このものにあっても、乾燥時に衣服の肩部にしわを発生するとともに、回動拡張部の先端にて胸部や背部にしわを発生させる問題点があった。
【先行技術文献】
【特許文献】
【０００７】
【特許文献１】特開2001-169894
【特許文献２】特開2008-036072
【発明の概要】
【発明が解決しようとする課題】
【０００８】
本発明は、上記問題点に鑑みなされたものであって、その目的は、衣服ハンガーが人体の形状と相違があるため、衣服を吊るした際に肩先に集中することを防止すると共に、取り付けることにより肩部分の圧力分散や、肩幅によって位置を調整できると共に、シート状のために未使用時の保管スペースを最小限に抑えることができ、さらに、衣服ハンガーへの取り付けおよび取り外しが迅速且つ容易に行える衣服掛けハンガー用肩しわ防止具を提供することにある。
【０００９】
本発明は、上記問題点に鑑みなされたものであって、その目的は、衣服ハンガーが金属又はプラスチックなどにて製造されていることが多く、接触面の摩擦係数が小さいために衣服の脱落を発生させることがある。保形体５は、ニードルパンチカーペットなどの不織布素材のシート又は、EVAスポンジシートなどの熱可塑性樹脂発泡体をもって成形することにより摩擦係数が大きくなり、洗濯バサミなどで衣服を係止する必要がなくなり、洗濯バサミなどによる二次的なしわが発生しない衣服掛けハンガー用肩しわ防止具を提供することにある。
【課題を解決するための手段】
【００１０】
上記課題を解決するため、本発明の衣服掛けハンガー用肩しわ防止具は、衣服用ハンガーの肩掛部の上方を通り、衣服用ハンガーの水平となった横桟部分へ上向き円筒状に取り付けられる衣服掛けハンガー用肩しわ防止具であって、衣服用ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体をハンガーの横桟部を挟み込んで係止する係止部とを一体的に備えた衣服ハンガー肩しわ防止具であって、前記係止部は、平行に形成された２本の切り込み溝と前記２本の切り込み溝に挿入される挿入部とにより構成されており、前記２本の切り込み溝により囲まれた保持部をハンガーの横桟部に当接させて前記保形体をハンガーの横桟部に係止したことを特徴とする。
【発明の効果】
【００１１】
本発明の衣服掛けハンガー用肩しわ防止具は、衣服用ハンガーの肩掛部の上方を通り、衣服用ハンガーの水平となった横桟部分へ上向き円筒状に取り付けられる衣服掛けハンガー用肩しわ防止具であって、衣服用ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体をハンガーの横桟部を挟み込んで係止する係止部とを一体的に備えた衣服ハンガー肩しわ防止具であって、前記係止部は、平行に形成された２本の切り込み溝と前記２本の切り込み溝に挿入される挿入部とにより構成されており、前記２本の切り込み溝により囲まれた保持部をハンガーの横桟部に当接させて前記保形体をハンガーの横桟部に係止したことを特徴とするものであって、上記衣服ハンガー用肩しわ防止具はハンガーの形状に合わせて中心から先端に向かって小さくなる円筒状であると共に、衣服ハンガーの水平な横桟部に係止されるので、衣服の重みで保形体自体が自立する構造であり、肩しわ防止・落下防止・乾燥時間向上・女性下着へのプライバシー保護という効果があるとともに、ハンガー肩掛け部の傾斜角度に左右されることなく安定する効果もある。
【図面の簡単な説明】
【００１２】
【図１】本発明の一実施例を示すものであり、衣服掛けハンガー用肩しわ防止具の正面図である。
【図２】同上の衣服掛けハンガー用肩しわ防止具の平面図である。
【図３】同上の衣服掛けハンガー肩しわ用防止具の図１におけるＹ−Ｙ断面の前方斜視図である。
【実施例】
【００１３】
図１は本発明の一実施例を示している。  衣服掛けハンガー用しわ防止具１は、衣服用ハンガーＡの肩掛部Ｂの上方を通り、衣服用ハンガーＡの水平となった横桟部分Ｃへ上向き円筒状に取り付けられる肩しわ防止具であって、衣服用ハンガーＡの肩掛部Ｂの上方を通り、衣服の肩部に当接する肩しわ防止部２と、および肩しわ防止部２から延設されて衣服の胸部に当接する胸部当接部３と、肩しわ防止部２から延設されて衣服の背中部に当接する背中当接部４の形状を含むシート状の保形体５と、ハンガーＡの横桟部Ｃに係止されて保形体５をハンガーＡの横桟部Ｃに係止する係止部６とにより構成されている。
【００１４】
上記保型体５は、図２に示すように、頂点部７から両側に下り傾斜する第１の下り傾斜部８が形成され、第１の下り傾斜部８の両端から保形体５の内側方向に下り傾斜する第２の下り傾斜部９が形成され、第２の下り傾斜部９の両端から頂点部７方向に上り傾斜する第３の傾斜部１０とで略６角形状になっている。第１の下り傾斜部８と第２の下り傾斜部９との交点同士を結んだ距離に比し、第２の下り傾斜部９と第３の傾斜部１０との交点同士を結んだ距離の方が短くなっている。この保型体５は、ニードルパンチカーペットなどの不織布素材のシート又は、EVAスポンジシートなどの熱可塑性樹脂発泡体をもって成形したものである。
【００１５】
一方の第２の傾斜部９の中央には位置には外方に突出する挿入部１１が一体的に形成されている。挿入部１１の基端の両側にはスリット１２がそれぞれ形成されている。
【００１６】
他方の第２の傾斜部９の端縁の内側には第２の傾斜部９に対し平行な２本の切り込み溝１３が形成されている。切り込み溝１３は、第２の傾斜部９に近い側が第１の切り込み溝１３ａ、第２の傾斜部９から離れた側が第２の切り込み溝１３ｂとなっている。係止部６は、挿入部１１と、第１の切り込み溝１３ａと、第２の切り込み溝１３ｂとにより構成されている。
【００１７】
ハンガーＡの内側へ保形体５の頂点部７を向け、ハンガーＡの外側が第３の傾斜部１０になるように円筒状に曲げることで人体の肩と胸部分に相当するふくらみが形成される。第１の下り傾斜部８と第２の下り傾斜部９との交点同士を結んだ距離に比し、第２の下り傾斜部９と第３の傾斜部１０との交点同士を結んだ距離の方が短くなっているので、円筒状に曲げると、衣服用ハンガーＡの形状に合わせてハンガーＡの中心からハンガーＡの先端に向かって小さくなる円筒状に形成される。衣服の重みが肩しわ防止部２、胸部当接部３、背中当接部４により吸収され、係止部６がハンガーＡの横桟部Ｃに係止されることで円筒状にした衣服掛けハンガー用しわ防止具１を安定した状態に保つことが出来る構造である。  また、ハンガーＡの横桟部Ｃを利用して取り付けることにより、ハンガーＡの肩掛け部Ｂの傾斜角度に左右されることなく衣服掛けハンガー用肩しわ防止具１の取付状態が安定するという効果もある。
【００１８】
第２の下り傾斜部９の両端から頂点部７方向に上り傾斜する第３の傾斜部１０を設けることで、保形体５の形状を衣服の縫製位置と合わせことができ、衣服の型崩れを防止することができる。
【００１９】
上記の構成において、本衣服ハンガー用しわ防止具の使用方法について、以下に説明する。
【００２０】
衣服掛けハンガー用しわ防止具１の衣服ハンガーＡへの取り付け作業は、図３に示すように円筒状に組み立てるだけであり、挿入部１１を手前にし切り込み溝１３を奥側として、切り込み溝１３により囲まれた保持部１４をハンガーＡの横桟部Ｃの下面に当接させ、切り込み溝１３を開きながら挿入部１１を第１の切り込み溝１３ａに外側から挿入し、ハンガーＡの横桟部Ｃの上方を通らせた後、第２の切り込み溝１３ｂに内側から挿入する。（保形体５の外側部分まで挿入後、）挿入部１１の両端にあるロック部１５を内側へ折り曲げることで衣服ハンガー用しわ防止具１の脱落防止を確実にできる。衣服掛けハンガー用しわ防止具１は、左右一対にてハンガーＡの横桟部Ｃへ取り付けて使用する。切り込み溝１３により囲まれた保持部１４をハンガーＡの横桟部Ｃの下面に当接させ、切り込み溝１３を開きながら挿入部１１を第１の切り込み溝１３ａに外側から挿入し、ハンガーＡの横桟部Ｃの上方を通らせた後、第２の切り込み溝１３ｂに内側から挿入するようにしたものは、保持部１４をハンガーＡの横桟部Ｃで確実に保持でき、スムーズに衣服掛けハンガー用しわ防止具１を移動させることができる。衣服掛けハンガー用しわ防止具１のハンガーＡの横桟部Ｃへの取り付けの他の方法は、挿入部１１を手前にし切り込み溝１３を奥側として、切り込み溝１３により囲まれた保持部１４をハンガーＡの横桟部Ｃの上面に当接させ、切り込み溝１３を開きながら挿入部１１を第１の切り込み溝１３ａに内側から挿入し、ハンガーＡの横桟部Ｃの下方を通らせた後、第２の切り込み溝１３ｂに外側から挿入する方法があり、この場合は、挿入部１１を衣服ハンガー用しわ防止具１の内側に位置させることができ、見栄えを良くすることができる。保持部１４の幅をハンガーＡの横桟部Ｃの幅よりも広くすると、保持部１４がガイドとなり、衣服掛けハンガー用しわ防止具１をスムーズに移動させることが可能となる。
【００２１】
上記衣服ハンガーＡに衣服掛けハンガー用しわ防止具１を取り付けた状態で衣服を懸吊した場合、保形型体５が衣服にとって適度な厚みを有しているので、衣服を着服したのと同様な状態で保形体５に支持される。素材をパンチカーペット又はスポンジ状とすることで衣服が保形体５からずり落ち難く、しわの発生防止に大変有効である。衣服ハンガーを長期間使用した場合でも、衣服が型崩れを起こし難い。また、衣服に空間が発生する為、乾燥時間の短縮にも繋がり、女性用下着をハンガーＡの横桟部Ｃの中心部分に掛けて内包することで同時に乾燥することも可能である。一般的に男性用下着に対して女性用下着は盗難などのリスクも高く、衣服の内側スペースを活用することで、プライバシーに配慮しながら効率が良い乾燥手法の確立が可能となる。
【００２２】
また、男女の肩幅差や衣服による位置ズレも衣服掛けハンガー用しわ防止具１を左右に動かすことで調整可能であり、ニット素材などの柔らかく型崩れし易い衣服に対しても有効である。さらに、不要な際は衣服掛けハンガー用しわ防止具１を衣服ハンガーＡから取り外すことも容易であり、シート状の形状であるため大変コンパクトになり、一度に多量の衣服掛けハンガー用しわ防止具１を持ち運ぶことができると共に、未使用時の保管スペースも最小限で済む。
【００２３】
衣服掛けハンガーしわ防止具１の衣服ハンガーＡへの取り付けおよび取り外しが迅速且つ容易に行える。また、衣服Ａハンガーしわ防止取付具１を取り付けることにより、男女の肩幅の違いや、肩部分の縫製ラインの相違によるしわの発生を抑えることができ、表面に印刷を施すことによりファッション性に優れ、企業広告媒体としての活用や、ファッションブティックなどではノベルティとしての配布もシート状のため容易になる等の効果を奏する。
【００２４】
即ち、可能な限りシンプルな構造にて人型に合わせて衣服を膨らませると共に、空間が出来たことによって乾燥時間短縮や、別体の衣服ハンガーＡの横桟部Ｃにリングハンガーを追加したり、直接取り付けることにより女性用下着も同時に乾燥することができる。
【００２５】
上記保形体５の頂点部７の内角は１５０度、第３の傾斜部１０の内角は１９０度程度とし、頂点部７から第１の下り傾斜部８先端までは１７センチ、前記第１の下り傾斜部８先端から内側方向に傾斜した第２の下り傾斜部９先端までは１４．５センチ、前記第２の下り傾斜部９先端から第３の傾斜部１０、２６の交点までは１３センチとすることで本発明の概ねの形状をシートより形成することができる。
【００２６】
尚、上記実施例の保形体５は、ニードルパンチカーペットシート又は、スポンジシートなどをもって成形したものであるが、これらの材質は、上記不織布及び熱可塑性樹脂発泡体に限定されるものではない。但し、上記のように不織布素材とすることにより、面ファスナーにて固定し易いと共に、同時に滑り止め効果や消臭効果、表面には柄プリントや企業広告を施すことも容易である。
【符号の説明】
【００２７】
１  衣服掛けハンガー用しわ防止具
２  肩しわ防止部
３  胸部当接部
４  背中当接部
５  保形体
６  係止部
７  保形体内側頂点部
８  第１の下り傾斜部
９  第２の下り傾斜部
１０  第３の傾斜部
１１  保形体挿入部
１２  固定スリット部
１３  保形体固定部切り込み溝
１４  保形体保持部
１５  保形体ロック部
Ａ  衣服用ハンガー
Ｂ  衣服用ハンガー肩掛部
Ｃ  衣服用ハンガー横桟部
【要約】
【課題】本発明は、衣服ハンガーが人体の形状と相違があるため、衣服を吊るした際に肩先に集中することを防止すると共に、取り付けることにより圧力分散や、衣服に合わせて各自が肩幅位置を調整できると共に、シート状のために未使用時の保管スペースを最小限に抑えることができ、さらに、衣服ハンガーへの取り付けおよび取り外しが迅速且つ容易に行える衣服ハンガー取付具を提供することにある。
【解決手段】可能な限りシンプルな略６角形状のシート構造にて人型に合わせて衣服を膨らませると共に、衣服の滑り止め効果を有することで風速にも強く、乾燥時や長期収納時における肩しわを防止することを特徴とする。
【選択図】図１【図１】
0005485458.tif 000002
【図２】
0005485458.tif 000003
【図３】
0005485458.tif 000004